(57)【要約】【課題】真の送信元がわからずに返信メールを送ることができない画像付きメールであっても、真の送信先に確実に返信することができるメール受信装置およびプログラムを得ることを課題とする。【解決手段】サーバ１０が、送信元メールアドレスおよび電話番号を含むユーザ情報メール５０を、中継局２０を介することなく受信し、端末情報メール５０の電話番号と送信元メールアドレスとから、これらの対応表を対応表記憶部１４に作成する。サーバ１０が、中継局２０を介して、送信元メールアドレスを消失した画像付きメール４０を受信すると、画像付きメール４０の電話番号をキーにして、対応表から送信元メールアドレスを検索し、この検索した送信元メールアドレスに、画像付きメール４０の画像データ４０ｅを受け取ったことを知らせる確認メール６０を送信する。【選択図】        図１
2004295393.tif 000002
【特許請求の範囲】
【請求項１】
メール送信元の端末から送信された、電子データおよび送信元メールアドレスを含む電子データ付きメールの前記送信元メールアドレスが、通信網の中継局を介することにより、別のメールアドレスに置き換えられ且つ前記端末の電話番号を含んだ状態で、前記電子データ付きメールを受信するメール受信装置であって、
前記メール送信元の端末から前記送信元メールアドレスおよび前記電話番号を含む端末情報メールを、中継局を介することなく受信するとともに、前記電子データ付きメールを受信するメール受信手段と、
前記端末情報メールの前記電話番号および前記送信元メールアドレスと、前記電子データ付きメールの前記電話番号とを抽出するデータ抽出手段と、
前記端末情報メールの前記電話番号と前記送信元メールアドレスとから、これらの対応表を作成し、または更新する対応表生成更新手段と、
前記対応表から、前記電子データ付きメールの前記電話番号をキーにして、前記送信元メールアドレスを検索する対応表検索手段と、
返信メールを送信するメール送信手段と
を備え、
前記メール送信手段は、前記対応表検索手段が前記対応表から検索した前記送信元メールアドレスに、前記返信メールとして、前記電子データを受け取ったことを知らせる電子データ確認メールを送信することを特徴とするメール受信装置。
【請求項２】
前記データ抽出手段で抽出された前記端末情報メールの前記送信元メールアドレスと、前記対応表検索手段で検索された前記送信元メールアドレスとを比較するアドレス比較手段を備え、
このアドレス比較手段が、前記端末情報メールの前記送信元メールアドレスと前記対応表検索手段で検索された前記送信元メールアドレスとを比較して、これらが一致しない判定した場合に、
前記メール送信手段は、前記双方の送信元メールアドレスに、前記返信メールとして、前記端末情報メールに関する端末情報確認メールを送信する請求項１に記載のメール受信装置。
【請求項３】
前記メール送信手段は、
前記対応表検索手段で検索された前記送信元メールアドレスに送信した前記端末情報確認メールが、前記メール送信元により受信されたことを確認し、
前記端末情報メールの前記送信元メールアドレスに送信した前記端末情報確認メールが、前記メール送信元により受信されたことを確認した場合、
前記端末情報メールの前記送信元メールアドレスが不正な送信元メールアドレスであると判定する請求項２に記載のメール受信装置。
【請求項４】
メール送信元の端末から送信された、電子データおよび送信元メールアドレスを含む電子データ付きメールの前記送信元メールアドレスが、通信網の中継局を介することにより、別のメールアドレスに置き換えられ且つ前記端末の電話番号を含んだ状態で、前記電子データ付きメールを受信するコンピュータを、
前記メール送信元の端末から前記送信元メールアドレスおよび前記電話番号を含む端末情報メールを、中継局を介することなく受信するとともに、前記電子データ付きメールを受信するメール受信手段と、
前記端末情報メールの前記電話番号および前記送信元メールアドレスと、前記電子データ付きメールの前記電話番号とを抽出するデータ抽出手段と、
前記端末情報メールの前記電話番号と前記送信元メールアドレスとから、これらの対応表を作成し、または更新する対応表生成更新手段と、
前記対応表から、前記電子データ付きメールの前記電話番号をキーにして、前記送信元メールアドレスを検索する対応表検索手段と、
返信メールを送信するメール送信手段と
して機能させ、
前記メール送信手段が、前記対応表検索手段が前記対応表から検索した前記送信元メールアドレスに、前記返信メールとして、前記電子データを受け取ったことを知らせる電子データ確認メールを送信するように機能させたことを特徴とするメール受信プログラム。
【発明の詳細な説明】
【０００１】
【発明の属する技術分野】
この発明は、画像等電子データが添付された電子メールの受信装置および受信プログラムに関し、とくに、通信網に設けられた中継センタを介することにより、送信元のオリジナルメールアドレスが失われる電子メールを受信して、送信元のオリジナルメールアドレスに返信メールを送信することに関する。
【０００２】
【従来の技術】
従来、携帯電話の電子メールサービスにおいて、携帯電話会社の通信キャリヤネットワークおよびインターネットを利用して、メールに画像等電子データを添付して送ることが一般的に行われている。添付される電子データを画像としたとき、この際、図１および７に示されるように、電子データ付きメールが、送信者の端末である携帯電話３０から一旦中継センタ２０に送信され、中継センタ２０からメール送信先のサーバ１０や他の携帯電話に送信されるような方式がある。中継センタ２０を介することによって画像データの色、サイズ、フォーマット等が、送信先に適した形式に調整されてメール送信先に送られる。
また、特許文献１に記載された発明は、公衆回線網およびインターネットを利用するインターネットファクシミリの通信方式であって、電話番号とメールアドレスとの対応表を備えた変換サーバに、ファクシミリ端末から送信先端末の電話番号を含む問い合わせパケットを送ると、変換サーバは送信先端末の電話番号に対応したメールアドレスを送信元のファクシミリ端末に返し、この送信先のメールアドレスにファクシミリ端末は画像情報を送信するものである。常時接続されているファクシミリ端末から、電源オン時および一定時間経過ごとに、電話番号とメールアドレスとがサーバに送られている。
【０００３】
【特許文献１】
特開２００１−２１１２８５号公報
【０００４】
【発明が解決しようとする課題】
しかしながら、電子データ付きメールを受け取った受信者からみると、送信者のメールアドレスが中継センタになってしまい、真の送信者について、電話番号はわかるが、メールアドレスはわからず、真の送信者に返信メールを送ることができない。
特許文献１に記載のファクシミリの技術を適用しても、電子データ付きメールが、中継局を介して送信元のメールアドレスを消滅してしまい、送信元のメールアドレスに返信ができなくなることを解決することはできない。また、携帯電話から電話番号と自己のメールアドレスとを含むメールを交換サーバに定期的に送信するのでは送信者の手間と通信費用が増大する。
【０００５】
この発明は、このような課題を解決するためになされたもので、真の送信元がわからずに返信メールを送ることができない電子データ付きメールであっても、真の送信先に確実に返信することができるメール受信装置およびプログラムを提供することを目的とする。
【０００６】
【課題を解決するための手段】
この発明に係る電子データ付きメール受信装置は、メール送信元の端末から送信された、電子データおよび送信元メールアドレスを含む電子データ付きメールの前記送信元メールアドレスが、通信網の中継局を介することにより、別のメールアドレスに置き換えられ且つ前記端末の電話番号を含んだ状態で、前記電子データ付きメールを受信するメール受信装置であって、前記メール送信元の端末から前記送信元メールアドレスおよび前記電話番号を含む端末情報メールを、中継局を介することなく受信するとともに、前記電子データ付きメールを受信するメール受信手段と、前記端末情報メールの前記電話番号および前記送信元メールアドレスと、前記電子データ付きメールの前記電話番号とを抽出するデータ抽出手段と、前記端末情報メールの前記電話番号と前記送信元メールアドレスとから、これらの対応表を作成し、または更新する対応表生成更新手段と、前記対応表から、前記電子データ付きメールの前記電話番号をキーにして、前記送信元メールアドレスを検索する対応表検索手段と、返信メールを送信するメール送信手段とを備え、前記メール送信手段は、前記対応表検索手段が前記対応表から検索した前記送信元メールアドレスに、前記返信メールとして、前記電子データを受け取ったことを知らせる電子データ確認メールを送信することを特徴とするものである。
【０００７】
また、前記データ抽出手段で抽出された前記端末情報メールの前記送信元メールアドレスと、前記対応表検索手段で検索された前記送信元メールアドレスとを比較するアドレス比較手段を備え、このアドレス比較手段が、前記端末情報メールの前記送信元メールアドレスと前記対応表検索手段で検索された前記送信元メールアドレスとを比較して、これらが一致しない判定した場合に、前記メール送信手段は、前記双方の送信元メールアドレスに、前記返信メールとして、前記端末情報メールに関する端末情報確認メールを送信することができる。
【０００８】
さらに、前記メール送信手段は、前記対応表検索手段で検索された前記送信元メールアドレスに送信した前記端末情報確認メールが、前記メール送信元により受信されたことを確認し、前記端末情報メールの前記送信元メールアドレスに送信した前記端末情報確認メールが、前記メール送信元により受信されたことを確認した場合、前記端末情報メールの前記送信元メールアドレスが不正な送信元メールアドレスであると判定してもよい。
【０００９】
この発明に係るメール受信プログラムは、メール送信元の端末から送信された、電子データおよび送信元メールアドレスを含む電子データ付きメールの前記送信元メールアドレスが、通信網の中継局を介することにより、別のメールアドレスに置き換えられ且つ前記端末の電話番号を含んだ状態で、前記電子データ付きメールを受信するコンピュータについて、前記メール送信元の端末から前記送信元メールアドレスおよび前記電話番号を含む端末情報メールを、中継局を介することなく受信するとともに、前記電子データ付きメールを受信するメール受信手段と、前記端末情報メールの前記電話番号および前記送信元メールアドレスと、前記電子データ付きメールの前記電話番号とを抽出するデータ抽出手段と、前記端末情報メールの前記電話番号と前記送信元メールアドレスとから、これらの対応表を作成し、または更新する対応表生成更新手段と、前記対応表から、前記電子データ付きメールの前記電話番号をキーにして、前記送信元メールアドレスを検索する対応表検索手段と、返信メールを送信するメール送信手段として機能させ、前記メール送信手段が、前記対応表検索手段が前記対応表から検索した前記送信元メールアドレスに、前記返信メールとして、前記電子データを受け取ったことを知らせる電子データ確認メールを送信するように機能させたことを特徴とするものである。
【００１０】
【発明の実施の形態】
以下、この発明の実施の形態を添付図面に基づいて説明する。
実施の形態１．
この発明の実施の形態に係る電子データ付きメール受信装置を含むメールサービスシステムの構成を図１に示す。この実施の形態において、添付される電子データは、画像データであるとする。
インターネット１には、画像データを利用して、例えば画像の蓄積、印刷、編集等の画像連携サービスを行うサービス業者のサーバ１０が接続されている。このサーバ１０が画像付きメール受信装置として機能する。また、インターネット１には、中継センタ２０が接続されている。中継センタ２０は、無線通信網から構成される通信キャリヤネットワーク２にも接続されている。端末として機能する携帯電話３０から通信キャリヤネットワーク２を介してサーバ１０宛に送信された、画像データが添付された画像付きメール５０が送信される。この際、中継センタ２０は、画像付きメール４０の送信元メールアドレスを、中継センタ２０自身のメールアドレスおよび携帯電話３０の電話番号を含むデータに変更の上サーバ１０に送信する。
【００１１】
サーバ１０には、画像連携サービスを利用するユーザの携帯電話３０からの電子メールを受信するメール受信部１１が設けられている。メール受信部１１では、携帯電話３０から通信キャリヤネットワーク２、中継センタ２０およびインターネット１を介して送られる画像付きメール４０を受信する。また、メール受信部１１では、通信キャリヤネットワーク２およびインターネット１を介するものの、中継センタ２０を経由しない、ユーザ情報メール５０も受信する。
ここで、ユーザ情報メール５０は、端末情報メールを構成し、メールの送信元のアドレスを示すフロム（Ｆｒｏｍ）部５０ａ、メールの送信先のアドレスを示すトゥー（Ｔｏ）部５０ｂ、メールの件名を示す件名部５０ｃ、メールの本文を書き込まれるボディ部５０ｄから構成される。
また、画像付きメール４０は、ユーザ情報メール５０と同様に、フロム（Ｆｒｏｍ）部４０ａ、トゥー（Ｔｏ）部４０ｂ、件名部４０ｃ、ボディ部４０ｄから構成され、さらに、画像データ４０ｅのファイルが添付されている。
【００１２】
また、メール受信部１１で受信したメールのうち、ユーザ情報メール５０のフロム部５０ａから送信元メールアドレスを、件名部５０ｃからユーザの携帯電話３０の電話番号を、また、画像付きメール４０の件名部４０ｃからユーザの携帯電話３０の電話番号をそれぞれ抽出するデータ抽出部１２が設けられている。
さらに、サーバ１０には、データ抽出部１２で抽出した送信元メールアドレスおよび電話番号から、送信元メールアドレスと電話番号との対応表を作成し、また、変更があった場合に対応表を更新する対応表生成更新部１３、この対応表を格納する対応表記憶部１４が設けられている。また、サーバ１０には、この対応表を参照して電話番号の有無や電話番号に対応した送信元メールアドレスを検索する対応表検索部１５が設けられている。さらに、２つのメールアドレスが同一か否か判定するアドレス比較部１６および、ユーザ情報メール５０や画像付きメール４０に対応したメールを作成して返信するメール送信部１７が設けられている。
【００１３】
また、サーバ１０には、画像付きメール４０に添付された画像データ４０ｅを蓄積する画像蓄積部１８が設けられている。さらに、画像付きメール４０およびユーザ情報メール５０の内容が表示されるメール表示部１９が設けられている。なお、サーバ１０は、ユーザ情報メール５０を受け取るユーザ情報用メールアドレス（一例として、ｔｏｕｒｏｋｕ＠ｓｍｉｌｅ．ｃｏｍ）および画像付きメール４０を受け取る画像用メールアドレス（一例として、ｄｂ＠ｓｍｉｌｅ．ｃｏｍ）を有している
【００１４】
この発明の実施の形態に係る画像付きメール受信装置の動作を図２〜６に基づいて説明する。
まず、はじめに、ユーザの携帯電話３０が送った画像付きメールをサービス業者のサーバ１０が受け取り、サーバ１０が画像データ４０ｅを受けとった旨をユーザの携帯電話３０に知らされるためのユーザの利用手順について説明する。この説明は、携帯電話３０の処理を示す図２のフローチャートの流れに従い、携帯電話３０の画面やサーバ１０のメール表示部１９の画面に表示される内容等を示す図４を参照しながら行う。
【００１５】
ユーザは、図４に示されるように、ユーザ情報メール５０として、携帯電話３０の画面に表示されるフロム部５０ａにユーザ本人のメールアドレスｔｏｙ＠ｍｐ．ｎｅ．ｊｐを、トゥー部５０ｂにサーバ１０のユーザ情報用メールアドレスｔｏｕｒｏｋｕ＠ｓｍｉｌｅ．ｃｏｍを、さらに、件名部５０ｃに、ユーザ本人の携帯電話３０の電話番号を入力する。ユーザはこれらの内容を有するユーザ情報メール５０を携帯電話３０から送信し、ユーザ情報登録を行う（図２のステップＳ１１）。
このユーザ情報メールを受信したサーバ１０では、詳細には図３のフローチャートを用いて後述するが、図４に示されるような、電話番号とメールアドレスの対応表Ｍを作成後、電話番号とメールアドレスとの関係を確認したことを知らせる登録確認メールをユーザに対して返信し、ユーザの携帯電話３０は、登録確認メールを受信する（図２のステップＳ１２）。
【００１６】
次に、ユーザ情報登録を済ませたユーザは携帯電話３０から画像付メール４０を送信する（ステップＳ１３）。画像付メール４０の場合、図４に示されるように、携帯電話３０の画面に表示されるフロム部４０ａにユーザ本人のメールアドレスｔｏｙ＠ｍｐ．ｎｅ．ｊｐを、トゥー部にサーバ１０の画像用メールアドレスｄｂ＠ｓｍｉｌｅ．ｃｏｍをユーザは入力し、画像データとして、ＳＨ００００１．ＪＰＧのファイルを添付する。中継センタ２０を介してサーバ１０に届けられた画像付メール４０は、中継センタ２０の処理により、フロム部４０ａの内容がユーザの携帯電話３０の電話番号３１と、中継センタ２０のメールアドレス２１とを含むデータに変更されて、ユーザ本人のメールアドレスｔｏｙ＠ｍｐ．ｎｅ．ｊｐは消滅してしまっている。
このような画像付メール４０を受信したサーバ１０は、後述する図３のフローチャートに従って、０９０９８７４１２３６の電話番号３１をキーにして、対応表Ｍから送信元のメールアドレスを検索して、検索したメールアドレス宛に、画像付メール４０の画像データ４０ｅを受けとったことを確認する画像登録確認メールを返信し、ユーザの携帯電話３０は、この画像登録確認メールを受信することになる（図２のステップＳ１４）。
【００１７】
次に、ユーザ情報メール５０を受け取ったサーバ１０の動作を図４のフローチャートを用いて説明する。
サーバ１０は、メール受信部１１により画像の添付されていないユーザ情報メール５０を受信する（ステップＳ２１）。次に、データ抽出部１２においてユーザ情報メール５０のフロム部５０ａからメールアドレスＡ１を抽出し（ステップＳ２２）、件名部５０ｃから携帯電話３０の電話番号を抽出する（ステップＳ２３）。次に、電話番号を抽出できたか否かを判定し（ステップＳ２４）、電話番号を抽出できなかった場合、その旨を知らせるエラーメールを返信する（ステップＳ２９）。
一方、電話番号を抽出できた場合、この電話番号をキーにして、対応表記憶部１４の対応表Ｍを対応表検索部１５が検索する（ステップＳ２５）。
【００１８】
次に、ステップＳ２６において、対応表Ｍに同じ電話番号が既に存在するか否かを判定する。同じ電話番号が存在しない場合は、新たな登録が必要であると判定して、この電話番号と、ステップＳ２２で抽出したメールアドレスＡ１とを関連づけて、対応表Ｍに追加する（ステップＳ２７）。さらに、電話番号とメールアドレスＡ１とを対応させて登録がなされたことを知らせるため、電話番号登録確認メールをメールアドレスＡ１に返信し処理を終了する（ステップＳ２８）。
【００１９】
一方、ステップＳ２６において、対応表Ｍに同じ電話番号が存在していた場合は、この電話番号に対応したメールアドレスＡ２を、対応表検索部１５が対応表Ｍから抽出する（ステップＳ３０）。次に、アドレス比較部１６は、このメールアドレスＡ２と、ステップＳ２２で抽出したメールアドレスＡ１とを比較し（ステップＳ３１）、両者のメールアドレスＡ１、Ａ２が一致するか否かを判定する（ステップＳ３２）。一致する場合、電話番号に対応するメールアドレスが正しく登録されていることを知らせるため、メール送信部１７は電話番号確認メールをユーザ情報メール５０の送信者であるメールアドレスＡ１宛に送信し処理を終了する（ステップＳ３３）。
【００２０】
一方、ステップＳ３２において、両者のメールアドレスＡ１、Ａ２が一致しないと判定された場合、ユーザ情報メール５０のフロム部５０ａから抽出したメールアドレスＡ１が新たなメールアドレスであると仮定して、対応表生成更新部１３により、対応表Ｍに既に存在する電話番号に対応したメールアドレスＡ２をメールアドレスＡ１に変更する（ステップＳ３４）。さらに、メール送信部１７が対応表Ｍの変更前メールアドレスＡ２と変更後のメールアドレスＡ１との双方に、ユーザのメールアドレスが変更されたことを知らせるため、確認メール６０として更新確認メールを返信する。更新確認メールは、端末情報メールに関する端末情報確認メールを構成する。
【００２１】
以上、説明したように、サーバ１０がこのように、ユーザ情報メール５０の処理動作を行うので、図５に示されるように、例えば、ユーザが自己のメールアドレスをｔｏｙ＠ｍｐ．ｎｅ．ｊｐからｓｍｉｌｅ＠ｍｐ．ｎｅ．ｊｐに変更して、ユーザ情報メール５０を送信すると、電話番号０９０９８７４１２３６に対応した対応表Ｍのメールアドレスが変更後のメールアドレスｓｍｉｌｅ＠ｍｐ．ｎｅ．ｊｐに更新される（図４のステップＳ３４を参照）。
また、変更前メールアドレスｔｏｙ＠ｍｐ．ｎｅ．ｊｐと変更後のメールアドレスｓｍｉｌｅ＠ｍｐ．ｎｅ．ｊｐとの双方に、確認メール６０が送信されると（図４のステップＳ３５を参照）、確認メール６０の届き方により次のことが判明する。
図５に示されるように、変更後のメールアドレスに確認メール６０が届き、変更前のメールアドレスに確認メール６０が届かない場合は、メールアドレス変更が電話番号０９０９８７４１２３６の携帯電話３０からの正規に行われたものとサーバ１０は判断する。なお、確認メール６０が送信先に届かない場合は、インターネット１からの宛先不明の通知でサーバ１０は知ることができる。
【００２２】
一方、図６に示されるように、メールアドレスｊｏｙｆｕｌ＠ｍｐ．ｊｐを有し、携帯電話３０の正規の使用者でない偽者が電話番号を偽って件名部５０ｃに入力して、ユーザ情報メール５０を送信すると、電話番号０９０９８７４１２３６に対応した対応表Ｍのメールアドレスが変更後のメールアドレスｊｏｙｆｕｌ＠ｍｐ．ｎｅ．ｊｐに更新される。それとともに、変更前メールアドレスｔｏｙ＠ｍｐ．ｎｅ．ｊｐと変更後のメールアドレスｊｏｙｆｕｌ＠ｍｐ．ｎｅ．ｊｐとの双方に、確認メール６０が送信される。この場合は、双方ともに確認メール６０が届くので、このメールを見て、変更した覚えのないメールアドレス変更を知った、携帯電話３０のユーザ本人からサーバへのこの旨を知らせる再メールがあると、サーバ１０は、電話番号偽装の不正が行われたことを知ることができる。また、サーバ１０が、双方のメールアドレスに確認メールを返信したにもかかわらず、インターネット１からの宛先不明の通知をサーバ１０が受信しないことにより、サーバ１０は電話番号偽装の不正が行われたことを知ることができる。
【００２３】
このように、サーバ１０が、事前に電話番号とメールアドレスの対応表Ｍを持つことにより、フロム部４０ａに書かれた送信元のメールアドレスがユーザではなく中継センタ２０のメールアドレスに書き換えられ、ユーザの携帯電話３０の電話番号のみが記載されている画像付メール４０をサーバ１０が受信しても、真の送信者であるユーザへ返信メールを送ることができる。
また、電話番号に対応するメールアドレスが変わる時は、変更前メールアドレスと変更後メールアドレスの双方に確認メール６０を返信することにより、ユーザ本人以外の第三者が、本人になりすまして、本人の電話番号に対応するメールアドレスを第三者の値に変更して不正を行ったことを、本人およびサーバ１０が検知することができる。
【００２４】
なお、上述した実施の形態では、ユーザ情報メール５０において、送信元のメールアドレスを件名部５０ｃに入力したが、これに限定されるものではなく、本文を記載するボディ部５０ｄに入力してもよい。また、メール送信元の端末は、メール機能の付いた固定電話やパソコンであってもよい。
【００２５】
【発明の効果】
この発明によれば、メール受信装置が、送信元メールアドレスおよび電話番号を含む端末情報メールを、中継局を介することなく受信するとともに、電子データ付きメールを受信し、端末情報メールの電話番号と送信元メールアドレスとからこれらの対応表を作成し、電子データ付きメールの電話番号をキーにして、送信元メールアドレスを検索し、この検索した送信元メールアドレスに、電子データ付きメールの電子データを受け取ったことを知らせる電子データ確認メールを送信するので、真の送信元がわからずに返信メールを送ることができない電子データ付きメールであっても、真の送信先に返信することができる。
【図面の簡単な説明】
【図１】この発明の実施の形態１に係るメール受信装置を用いたメールサービスシステムの構成を示す図である。
【図２】実施の形態１に係るユーザの利用手順を説明するフローチャートである。
【図３】実施の形態１に係る装置の処理の流れを示すフローチャートである。
【図４】実施の形態１に係るユーザ情報登録、画像付きメールの手順を説明する図である。
【図５】実施の形態１に係るユーザ情報変更の手順を説明する図である。
【図６】実施の形態１に係るユーザ情報変更に関する不正を検知する手順を説明する図である。
【図７】従来の画像付きメールが送信される様子を示す図である。
【符号の説明】
１・・・インターネット、２・・・通信キャリアネットワーク（通信網）、１０・・・サーバ（画像付きメール受信装置）、１１・・・メール受信部、１２・・・データ抽出部、１３・・・対応表生成更新部、１５・・・対応表検索部、Ｍ・・・対応表、１６・・・アドレス比較部、１７・・・メール送信部２０・・・中継局、３０・・・携帯電話（送信元の端末）、４０・・・画像付きメール、４０ｅ・・・画像データ、５０・・・ユーザ情報メール（端末情報メール）、６０・・・確認メール。
【図１】
2004295393.tif 000003
【図２】
2004295393.tif 000004
【図３】
2004295393.tif 000005
【図４】
2004295393.tif 000006
【図５】
2004295393.tif 000007
【図６】
2004295393.tif 000008
【図７】
2004295393.tif 000009